(57)【要約】【課題】外部からメインエネルギーが供給されない場合に、非常エネルギー供給源が供給する非常エネルギーをエネルギー使用機器に供給して動作させるエネルギー管理装置及びエネルギー管理方法と、エネルギー管理装置を備えるエネルギー管理システムを提供すること。【解決手段】本発明は、停電等の理由でメインエネルギーが供給されない場合に、電気自動車に備わっているバッテリーや、太陽光エネルギー生産システム、風力エネルギー生産システムまたは燃料電池システム等のような新再生エネルギー生産システムが、非常エネルギーを供給するか否かを判断して、非常エネルギーが供給される場合に非常エネルギーをエネルギー使用機器に供給するが、非常エネルギーを供給するエネルギー使用機器を予め設定し、設定したエネルギー使用機器だけに非常エネルギーを供給する。【選択図】図１
2012254009.tif 000002
【特許請求の範囲】
【請求項１】
メインエネルギーの供給の可否を判断するメインエネルギー供給判断部、
非常エネルギー供給源から非常エネルギーが供給されるか否かを判断する非常エネルギー供給判断部、及び
前記メインエネルギー供給判断部が、前記メインエネルギーの供給を判断する場合に、前記メインエネルギーが複数のエネルギー使用機器に供給されるようにし、前記メインエネルギー供給判断部が、前記メインエネルギーが供給されないと判断し、前記非常エネルギー供給判断部が、非常エネルギーの供給を判断する場合に、前記非常エネルギーを選択して、前記複数のエネルギー使用機器に供給されるようにするスマートメーター、を含んで構成されたことを特徴とする、エネルギー管理装置。
【請求項２】
前記メインエネルギー及び前記非常エネルギーをスイッチングして一つを選択するエネルギー選択スイッチをさらに含み、
前記スマートメーターは、
前記メインエネルギー供給判断部が、前記メインエネルギーの供給を判断する場合に、前記エネルギー選択スイッチが前記メインエネルギーを選択して複数のエネルギー使用機器に供給するように制御し、前記メインエネルギー供給判断部が、前記メインエネルギーが供給されないと判断し、前記非常エネルギー供給判断部が非常エネルギーの供給を判断する場合に、前記エネルギー選択スイッチが、前記非常エネルギーを選択して、前記複数のエネルギー使用機器に供給されるように制御することを特徴とする、請求項１に記載のエネルギー管理装置。
【請求項３】
前記非常エネルギー供給源は、
電気自動車に備えられたバッテリーの充電エネルギーを常用エネルギーに変換して供給することを特徴とする、請求項１または２に記載のエネルギー管理装置。
【請求項４】
前記非常エネルギー供給源は、
太陽光エネルギー生産システム、風力エネルギー生産システムまたは燃料電池システムで生産するエネルギーであることを特徴とする、請求項１乃至３のうちいずれか一つに記載のエネルギー管理装置。
【請求項５】
前記非常エネルギー供給判断部は、
前記非常エネルギー供給源が供給する非常エネルギーが予め設定されたエネルギー量の以下の場合に、非常エネルギーが供給されないと判断することを特徴とする、請求項１乃至４のうちいずれか一つに記載のエネルギー管理装置。
【請求項６】
前記スマートメーターは、
前記メインエネルギー供給判断部がメインエネルギーの供給を判断する場合に、前記エネルギー選択スイッチが前記メインエネルギーを選択するように制御し、前記メインエネルギー供給判断部が前記メインエネルギーが供給されないと判断し、前記非常エネルギー供給判断部が非常エネルギーの供給を判断する場合に、前記エネルギー選択スイッチが前記非常エネルギーを選択するように制御するエネルギー供給制御部、及び
前記エネルギー供給制御部の制御により前記選択スイッチが選択したエネルギーを前記複数のエネルギー使用機器に供給すると共に、エネルギー使用量を検出するエネルギー使用量検出部、を含んで構成されることを特徴とする、請求項２乃至５のうちいずれか一つに記載のエネルギー管理装置。
【請求項７】
前記エネルギー供給制御部は、
前記エネルギー選択スイッチが前記非常エネルギーを選択するように制御する場合に、前記複数のエネルギー使用機器の中で予め選択されたエネルギー使用機器だけに前記非常エネルギーを供給するように制御することを特徴とする、請求項６に記載のエネルギー管理装置。
【請求項８】
前記予め選択されたエネルギー使用機器は、
照明負荷を含むことを特徴とする、請求項７に記載のエネルギー管理装置。
【請求項９】
前記スマートメーターは、
前記予め選択されたエネルギー使用機器を保存するためのメモリーをさらに含むことを特徴とする、請求項７に記載のエネルギー管理装置。
【請求項１０】
複数のエネルギー使用機器、
前記複数のエネルギー使用機器各々にエネルギーを供給する複数のエネルギー供給スイッチ、及び
メインエネルギー及び非常エネルギーの供給の可否を判断して一つのエネルギーを選択し、選択した一つのエネルギーを前記複数のエネルギー供給スイッチを介して前記複数のエネルギー使用機器にエネルギーを供給するエネルギー管理装置、を含んで構成されたことを特徴とする、エネルギー管理装置を備えるエネルギー管理システム。
【請求項１１】
前記エネルギー管理装置は、
メインエネルギーの供給の可否を判断するメインエネルギー供給判断部、
非常エネルギー供給源で非常エネルギーが供給されるか否かを判断する非常エネルギー供給判断部、
前記メインエネルギー及び前記非常エネルギーをスイッチングして一つを選択するエネルギー選択スイッチ、及び
前記メインエネルギー供給判断部が前記メインエネルギーの供給を判断する場合に、前記エネルギー選択スイッチが前記メインエネルギーを選択して、複数のエネルギー使用機器に供給するように制御して、前記メインエネルギー供給判断部が前記メインエネルギーが供給されないと判断し、前記非常エネルギー供給判断部が非常エネルギーの供給を判断する場合に、前記エネルギー選択スイッチが前記非常エネルギーを選択して、前記複数のエネルギー使用機器に供給されるように制御するスマートメーター、を含んで構成されることを特徴とする、請求項１０に記載のエネルギー管理装置を備えるエネルギー管理システム。
【請求項１２】
前記エネルギー管理装置は、
メインエネルギーの供給の可否を判断するメインエネルギー供給判断部、
非常エネルギー供給源から非常エネルギーが供給されるか否かを判断する非常エネルギー供給判断部、及び
前記メインエネルギー供給判断部が前記メインエネルギーの供給を判断する場合に、前記メインエネルギーが複数のエネルギー使用機器に供給されるようにし、前記メインエネルギー供給判断部が前記メインエネルギーが供給されないと判断し、前記非常エネルギー供給判断部が非常エネルギーの供給を判断する場合に、前記非常エネルギーを選択して前記複数のエネルギー使用機器に供給されるようにするスマートメーター、を含んで構成されることを特徴とする、請求項１０または１１に記載のエネルギー管理装置を備えるエネルギー管理システム。
【請求項１３】
前記非常エネルギー供給源は、
電気自動車に備えられたバッテリーの充電エネルギーを常用エネルギーに変換して供給することを特徴とする、請求項１１または１２に記載のエネルギー管理装置を備えるエネルギー管理システム。
【請求項１４】
前記非常エネルギー供給源は、
太陽光エネルギー生産システム、風力エネルギー生産システムまたは燃料電池システムで生産するエネルギーであることを特徴とする、請求項１１乃至１３のうちいずれか一つに記載のエネルギー管理装置を備えるエネルギー管理システム。
【請求項１５】
前記非常エネルギー供給判断部は、
前記非常エネルギー供給源が供給する非常エネルギーが予め設定されたエネルギー量以下である場合に、非常エネルギーが供給されないと判断することを特徴とする、請求項１１乃至１４のうちいずれか一つに記載のエネルギー管理装置を備えるエネルギー管理システム。
【請求項１６】
前記スマートメーターは、
前記メインエネルギー供給判断部がメインエネルギーの供給を判断する場合に、前記エネルギー選択スイッチが前記メインエネルギーを選択するように制御し、前記メインエネルギー供給判断部が前記メインエネルギーが供給されないを判断し、前記非常エネルギー供給判断部が非常エネルギーの供給を判断する場合に、前記エネルギー選択スイッチが前記非常エネルギーを選択するように制御するエネルギー供給制御部、及び
前記エネルギー供給制御部の制御により前記選択スイッチが選択したエネルギーを前記複数のエネルギー使用機器に供給すると共に、エネルギー使用量を検出するエネルギー使用量検出部、を含んで構成されることを特徴とする、請求項１１乃至１５のうちいずれか一つに記載のエネルギー管理装置を備えるエネルギー管理システム。
【請求項１７】
前記スマートメーターは、
前記メインエネルギーまたは前記非常エネルギーを選択するエネルギー選択スイッチ、
前記メインエネルギー供給判断部がメインエネルギーの供給を判断する場合に、前記エネルギー選択スイッチが前記メインエネルギーを選択するように制御し、前記メインエネルギー供給判断部が前記メインエネルギーが供給されないと判断し、前記非常エネルギー供給判断部が非常エネルギーの供給を判断する場合に、前記エネルギー選択スイッチが前記非常エネルギーを選択するように制御するエネルギー供給制御部、及び
前記エネルギー供給制御部の制御により前記選択スイッチが選択したエネルギーを前記複数のエネルギー使用機器に供給すると共に、エネルギー使用量を検出するエネルギー使用量検出部、を含んで構成されることを特徴とする、請求項１２乃至１６のうちいずれか一つに記載のエネルギー管理システム。
【請求項１８】
メインエネルギー供給判断部がメインエネルギーの供給の可否を判断する段階、
非常エネルギー供給判断部が非常エネルギーの供給の可否を判断する段階、及び
前記判断結果、メインエネルギーが供給されず、前記非常エネルギーが供給される場合に、エネルギー供給制御部が前記非常エネルギーを複数のエネルギー使用機器に供給するように制御する段階とを含むことを特徴とする、エネルギー管理方法。
【請求項１９】
前記メインエネルギーが供給されると判断される場合に、
前記エネルギー供給制御部が、前記メインエネルギーを前記複数のエネルギー使用機器全てに供給するように制御する段階をさらに含むことを特徴とする、請求項１８に記載のエネルギー管理方法。
【請求項２０】
前記非常エネルギーを複数のエネルギー使用機器に供給するように制御する段階は、
前記複数のエネルギー使用機器中で予め設定されたエネルギー使用機器を判断して、判断した該当エネルギー使用機器だけに前記非常エネルギーを供給することを特徴とする、請求項１８または１９に記載のエネルギー管理方法。
【発明の詳細な説明】
【技術分野】
【０００１】
本発明は、エネルギー管理装置及びエネルギー管理方法と、エネルギー管理装置を備えるエネルギー管理システムに関する。より詳細には、停電等によりメインエネルギーが供給されない場合に、電気自動車に備えられているバッテリーの充電エネルギーや、太陽光エネルギー生産システム、風力エネルギー生産システムまたは燃料電池システム等の新再生エネルギー生産システムが供給するエネルギーを非常エネルギーとして用いて予め設定されたエネルギー使用機器だけへ供給するエネルギー管理装置及びエネルギー管理方法と、エネルギー管理装置を備えてエネルギー供給を管理するエネルギー管理システムに関する。
【背景技術】
【０００２】
照明器具、冷蔵庫及び洗濯機等といった各種エネルギー使用機器は、生活を非常に潤沢にする。しかし、前記エネルギー使用機器は、常用交流電力等のエネルギーを使って動作するもので、エネルギーが供給されないと該当機能を果たせなくなる。
【０００３】
即ち、エネルギー供給が持続的に必要な工場等は、エネルギーが供給されないと工場を稼動することが不可能となり、また家庭でもエネルギーが供給されないと生活が非常に不便となる。
【０００４】
大きい工場等では、自主的にエネルギー生産施設を備えており、外部からエネルギーが供給されなくても自主的に備えたエネルギー生産施設から生産するエネルギーをエネルギー使用機器に供給して、工場を持続的に稼動することができる。
【０００５】
しかし、前記エネルギー生産施設は設備費用を要して、家庭ではエネルギー生産施設を備えることが容易ではない。
【０００６】
従って、各家庭では、外部からエネルギーが供給されない場合に、電気自動車のバッテリーに充電されているエネルギーを非常エネルギーとして使用できるようにする研究が進められている。
【０００７】
また、マンション等の共同住宅では、太陽光エネルギー生産システム、風力エネルギー生産システム、または燃料電池システム等の新再生エネルギー生産システムを備え、停電等によって外部から常用交流電力等のエネルギーが供給されない場合に、前記新再生エネルギー生産システムが生産するエネルギーを各家庭に供給して、非常エネルギーとして用いられるようにする研究も進められている。
【発明の概要】
【発明が解決しようとする課題】
【０００８】
本発明が解決しようとする課題は、外部からメインエネルギーが供給されない場合に、非常エネルギー供給源が供給する非常エネルギーをエネルギー使用機器に供給して動作させるエネルギー管理装置及びエネルギー管理方法と、エネルギー管理装置を備えるエネルギー管理システムを提供することである。
【０００９】
また、本発明が解決しようとする課題は、非常エネルギー供給源が供給する非常エネルギーをエネルギー使用機器に供給する場合に、複数のエネルギー使用機器の中で予め設定されたエネルギー使用機器だけに非常エネルギー供給源が供給する非常エネルギーを供給して、非常エネルギーを効率的に使えるようにするエネルギー管理装置及びエネルギー管理方法と、エネルギー管理装置を備えるエネルギー管理システムを提供することである。
【００１０】
本発明が解決しようとする課題は、前記言及した技術的課題に制限されず、言及されない他の技術的課題は、下記の記載から本発明が属する技術分野において通常の知識を有する者が明確に理解できるであろう。
【課題を解決するための手段】
【００１１】
本発明のエネルギー管理装置及びエネルギー管理方法と、エネルギー管理装置を備えるエネルギー管理システムによると、メインエネルギーの供給の可否を判断するメインエネルギー供給判断部と、非常エネルギー供給源から非常エネルギーが供給されるか否かを判断する非常エネルギー供給判断部を備える。
【００１２】
前記メインエネルギー供給判断部が、メインエネルギーの供給を判断する場合に、スマートメーターがメインエネルギーを選択するように制御し、選択したメインエネルギーを複数のエネルギー使用機器に供給する。
【００１３】
前記メインエネルギー供給判断部が、前記メインエネルギーが供給されないと判断し、前記非常エネルギー供給判断部に非常エネルギー供給源から非常エネルギーが供給されると判断する場合に、前記スマートメーターが非常エネルギーを選択するように制御し、選択した非常エネルギーを複数のエネルギー使用機器に供給する。
【００１４】
ここで、非常エネルギー供給源が、供給するエネルギー量は限界があるため、非常エネルギーを供給するエネルギー使用機器を予め設定し、メインエネルギーが供給されない場合に、前記設定したエネルギー使用機器だけに非常エネルギーが供給されるようにして、前記非常エネルギーを効率的に使うようにする。
【００１５】
従って、本発明のエネルギー管理装置の望ましい一実施形態は、メインエネルギーの供給の可否を判断するメインエネルギー供給判断部と、非常エネルギー供給源から非常エネルギーが供給されるか否かを判断する非常エネルギー供給判断部と、前記メインエネルギー及び前記非常エネルギーをスイッチングして一つを選択するエネルギー選択スイッチと、前記メインエネルギー供給判断部が前記メインエネルギーの供給を判断する場合に、前記エネルギー選択スイッチが、前記メインエネルギーを選択して複数のエネルギー使用機器に供給するように制御し、前記メインエネルギー供給判断部が前記メインエネルギーが供給されないと判断し、前記非常エネルギー供給判断部が非常エネルギーの供給を判断する場合に前記エネルギー選択スイッチが前記非常エネルギーを選択して、前記複数のエネルギー使用機器に供給できるように制御するスマートメーターを含んで構成されることを特徴とする。
【００１６】
前記非常エネルギー供給源は、電気自動車に備えられたバッテリーの充電エネルギーを常用エネルギーに変換して供給することを特徴とする。
【００１７】
また、前記非常エネルギー供給源は、太陽光エネルギー生産システム、風力エネルギー生産システムまたは燃料電池システムで生産するエネルギーであることを特徴とする。
【００１８】
前記非常エネルギー供給判断部は、前記非常エネルギー供給源が供給する非常エネルギーが予め設定されたエネルギー量以下である場合に、非常エネルギーが供給されないと判断することを特徴とする。
【００１９】
前記スマートメーターは、前記メインエネルギー供給判断部がメインエネルギーの供給を判断する場合に、前記エネルギー選択スイッチが前記メインエネルギーを選択するように制御し、前記メインエネルギー供給判断部が前記メインエネルギーが供給されないと判断し、前記非常エネルギー供給判断部が非常エネルギーの供給を判断する場合に、前記エネルギー選択スイッチが前記非常エネルギーを選択するように制御するエネルギー供給制御部と、前記エネルギー供給制御部の制御により前記選択スイッチが選択したエネルギーを前記複数のエネルギー使用機器に供給しながらエネルギー使用量を検出するエネルギー使用量検出部と、を含んで構成されることを特徴とする。
【００２０】
前記エネルギー供給制御部は、前記エネルギー選択スイッチが前記非常エネルギーを選択するように制御する場合に、前記複数のエネルギー使用機器の中で予め選択されたエネルギー使用機器だけに前記非常エネルギーを供給するように制御することを特徴とする。
【００２１】
前記予め選択されたエネルギー使用機器は、照明負荷を含むことを特徴とする。
【００２２】
前記スマートメーターは、前記予め選択されたエネルギー使用機器を保存するためのメモリーをさらに含むことを特徴とする。
【００２３】
そして、本発明のエネルギー管理装置の望ましい第２実施形態は、メインエネルギーの供給の可否を判断するメインエネルギー供給判断部と、非常エネルギー供給源から非常エネルギーが供給されるか否かを判断する非常エネルギー供給判断部と、前記メインエネルギー供給判断部が前記メインエネルギーの供給を判断する場合に前記メインエネルギーが複数のエネルギー使用機器に供給させ、前記メインエネルギー供給判断部が前記メインエネルギーが供給されないと判断し、前記非常エネルギー供給判断部が非常エネルギーの供給を判断する場合に、前記非常エネルギーを選択して前記複数のエネルギー使用機器に供給させるスマートメーターを含んで構成されることを特徴とする。
【００２４】
前記非常エネルギー供給源は、電気自動車に備えられたバッテリーの充電エネルギーを常用エネルギーに変換して供給することを特徴とする。
【００２５】
また、前記非常エネルギー供給源は、太陽光エネルギー生産システム、風力エネルギー生産システムまたは燃料電池システムで生産するエネルギーであることを特徴とする。
【００２６】
前記非常エネルギー供給判断部は、前記非常エネルギー供給源が供給する非常エネルギーが予め設定されたエネルギー量以下の場合に、非常エネルギーが供給されないと判断することを特徴とする。
【００２７】
前記スマートメーターは、前記メインエネルギーまたは前記非常エネルギーを選択するエネルギー選択スイッチと、前記メインエネルギー供給判断部がメインエネルギーの供給を判断する場合に、前記エネルギー選択スイッチが前記メインエネルギーを選択するように制御し、前記メインエネルギー供給判断部が前記メインエネルギーが供給されないと判断し、前記非常エネルギー供給判断部が非常エネルギーの供給を判断する場合に、前記エネルギー選択スイッチが前記非常エネルギーを選択するように制御するエネルギー供給制御部と、前記エネルギー供給制御部の制御により前記選択スイッチが選択したエネルギーを前記複数のエネルギー使用機器に供給すると共に、エネルギー使用量を検出するエネルギー使用量検出部を含んで構成されることを特徴とする。
【００２８】
前記エネルギー供給制御部は、前記エネルギー選択スイッチが前記非常エネルギーを選択するように制御する場合に、前記複数のエネルギー使用機器の中で予め選択されたエネルギー使用機器だけに前記非常エネルギーを供給するように制御することを特徴とする。
【００２９】
前記予め選択されたエネルギー使用機器は、照明負荷を含むことを特徴とする。
【００３０】
前記スマートメーターは、前記予め選択されたエネルギー使用機器を保存するためのメモリーをさらに含むことを特徴とする。
【００３１】
そして、本発明のエネルギー管理装置を備えたエネルギー管理システムの望ましい実施形態は、複数のエネルギー使用機器と、前記複数のエネルギー使用機器各々にエネルギーを供給する複数のエネルギー供給スイッチと、メインエネルギー及び非常エネルギーの供給の可否を判断して、一つのエネルギーを選択し、選択した一つのエネルギーを前記複数のエネルギー供給スイッチを介して前記複数のエネルギー使用機器にエネルギーを供給するエネルギー管理装置を含んで構成されることを特徴とする。
【００３２】
前記エネルギー管理装置は、メインエネルギーの供給の可否を判断するメインエネルギー供給判断部と、非常エネルギー供給源から非常エネルギーが供給されるか否かを判断する非常エネルギー供給判断部と、前記メインエネルギー及び前記非常エネルギーをスイッチングして一つを選択するエネルギー選択スイッチと、前記メインエネルギー供給判断部が前記メインエネルギーの供給を判断する場合に、前記エネルギー選択スイッチが前記メインエネルギーを選択して複数のエネルギー使用機器に供給するように制御し、前記メインエネルギー供給判断部が前記メインエネルギーが供給されないと判断し、前記非常エネルギー供給判断部が非常エネルギーの供給を判断する場合に、前記エネルギー選択スイッチが前記非常エネルギーを選択して、前記複数のエネルギー使用機器に供給されるように制御するスマートメーターを含んで構成されることを特徴とする。
【００３３】
また、前記エネルギー管理装置は、メインエネルギーの供給の可否を判断するメインエネルギー供給判断部と、非常エネルギー供給源で非常エネルギーが供給されるか否かを判断する非常エネルギー供給判断部と、前記メインエネルギー供給判断部が前記メインエネルギーの供給を判断する場合に、前記メインエネルギーが複数のエネルギー使用機器に供給されるようにし、前記メインエネルギー供給判断部が前記メインエネルギーが供給されないと判断し、前記非常エネルギー供給判断部が非常エネルギーの供給を判断する場合に、前記非常エネルギーを選択して前記複数のエネルギー使用機器に供給されるようにするスマートメーターを含んで構成されることを特徴とする。
【００３４】
前記非常エネルギー供給源は、電気自動車に備えられたバッテリーの充電エネルギーを常用エネルギーに変換して供給することを特徴とする。
【００３５】
また、前記非常エネルギー供給源は、太陽光エネルギー生産システム、風力エネルギー生産システムまたは燃料電池システムで生産するエネルギーであることを特徴とする。
【００３６】
前記非常エネルギー供給判断部は、前記非常エネルギー供給源が供給する非常エネルギーが、予め設定されたエネルギー量以下である場合に、非常エネルギーが供給されないと判断することを特徴とする。
【００３７】
前記スマートメーターは、前記メインエネルギー供給判断部がメインエネルギーの供給を判断する場合に、前記エネルギー選択スイッチが前記メインエネルギーを選択するように制御し、前記メインエネルギー供給判断部が前記メインエネルギーが供給されないと判断し、前記非常エネルギー供給判断部が非常エネルギーの供給を判断する場合に、前記エネルギー選択スイッチが前記非常エネルギーを選択するように制御するエネルギー供給制御部と、前記エネルギー供給制御部の制御により前記選択スイッチが選択したエネルギーを前記複数のエネルギー使用機器に供給しつつ、エネルギー使用量を検出するエネルギー使用量検出部を含んで構成されることを特徴とする。
【００３８】
また、前記スマートメーターは、前記メインエネルギーまたは前記非常エネルギーを選択するエネルギー選択スイッチと、前記メインエネルギー供給判断部がメインエネルギーの供給を判断する場合に、前記エネルギー選択スイッチが前記メインエネルギーを選択するように制御し、前記メインエネルギー供給判断部が前記メインエネルギーが供給されないと判断し、前記非常エネルギー供給判断部が非常エネルギーの供給を判断する場合に、前記エネルギー選択スイッチが前記非常エネルギーを選択するように制御するエネルギー供給制御部と、前記エネルギー供給制御部の制御により前記選択スイッチが選択したエネルギーを前記複数のエネルギー使用機器に供給しつつ、エネルギー使用量を検出するエネルギー使用量検出部を含んで構成されることを特徴とする。
【００３９】
前記エネルギー供給制御部は、前記エネルギー選択スイッチが前記非常エネルギーを選択するように制御する場合に、前記複数のエネルギー使用機器の中で予め選択されたエネルギー使用機器だけに前記非常エネルギーを供給するように制御することを特徴とする。
【００４０】
前記予め選択されたエネルギー使用機器は、照明負荷を含むことを特徴とする。
【００４１】
前記スマートメーターは、前記予め選択されたエネルギー使用機器を保存するためのメモリーをさらに含むことを特徴とする。
【００４２】
そして、本発明のエネルギー管理方法の望ましい実施形態は、メインエネルギー供給判断部がメインエネルギーの供給の可否を判断する段階と、非常エネルギー供給判断部が非常エネルギーの供給の可否を判断する段階と、前記判断結果メインエネルギーが供給されず、前記非常エネルギーが供給される場合にエネルギー供給制御部が前記非常エネルギーを複数のエネルギー使用機器に供給するように制御する段階を含むことを特徴とする。
【００４３】
前記メインエネルギーが供給されると判断される場合に、前記エネルギー供給制御部が前記メインエネルギーを前記複数のエネルギー使用機器全てに供給するように制御する段階をさらに含むことを特徴とする。
【００４４】
前記非常エネルギーを複数のエネルギー使用機器に供給するように制御する段階は、前記複数のエネルギー使用機器の中で予め設定されたエネルギー使用機器を判断し、判断した該当エネルギー使用機器だけに前記非常エネルギーを供給することを特徴とする。
【発明の効果】
【００４５】
本発明のエネルギー管理装置及びエネルギー管理方法と、エネルギー管理装置を備えるエネルギー管理システムは、外部からメインエネルギーが供給されない場合に電気自動車のバッテリーに充電されているエネルギーを非常エネルギーとして用いて、エネルギー使用機器にエネルギーを供給できるようにする。
【００４６】
従って、メインエネルギーが供給されない場合に、自らエネルギー生産システムがなくても、必要なエネルギー使用機器にはエネルギーを供給して動作させられる。
【００４７】
また、太陽光エネルギー生産システム、風力エネルギー生産システムまたは燃料電池システムのような新再生エネルギー生産システムを備えている場合に、メインエネルギーが供給されなくても新再生エネルギー生産システムが生産するエネルギーを非常エネルギーとして用いて、エネルギー使用機器にはエネルギーを供給することができる。
【００４８】
また、エネルギー使用機器に非常エネルギーを供給する場合に、予め選択されたエネルギー使用機器だけに非常エネルギーを供給することによって、限られた量の非常エネルギーを効率的に使える。
【図面の簡単な説明】
【００４９】
以下では添付された図面を参照して、本発明を限定しない実施形態によって、本発明をより詳細に説明するが、一部図において同じ要素に対しては同じ符号を付ける。
【図１】本発明のエネルギー管理システムの望ましい第１実施形態の構成を示した図面である。
【図２】本発明のエネルギー管理システムの望ましい第２実施形態の構成を示した図面である。
【図３】本発明のエネルギー管理システムの望ましい第３実施形態の構成を示した図面である。
【図４】本発明のエネルギー管理方法の望ましい実施形態の動作を示した信号フローチャートである。
【発明を実施するための形態】
【００５０】
以下の詳細な説明は例示に過ぎず、本発明の実施形態を示したものに過ぎない。また、本発明の原理と概念は最も有用であり、簡単に説明する目的として提供されている。
【００５１】
従って、本発明の基本理解のための必要以上の詳しい構造を提供しようとしなかったことは勿論、通常の知識を有する者が本発明の実体で実施される多様な形態を図面を通して例示する。
【００５２】
図１は、本発明のエネルギー管理システムの望ましい第１実施形態の構成を示した図面である。ここで、符号１００はメインエネルギー供給判断部である。前記メインエネルギー供給判断部１００は、外部からメインエネルギーが供給されるか否かを判断する。例えば、前記メインエネルギーは、電力供給会社から供給する常用交流電力として、メインエネルギー供給判断部１００は、外部から常用交流電力が供給されるか否かを判断する。
【００５３】
符号１１０は、非常エネルギー供給源である。前記非常エネルギー供給源１１０は例えば、電気自動車のバッテリーに充電されているエネルギーを常用交流電力等のような常用エネルギーに変換し、変換した常用エネルギーを非常エネルギーに供給する。また、前記非常エネルギー供給源１００は、太陽光エネルギー生産システム、風力エネルギー生産システムまたは燃料電池システム等のような新再生エネルギー生産システムとして、太陽光、風力または燃料を使ってエネルギーを生産し、生産したエネルギーを非常エネルギーとして供給する。
【００５４】
符号１２０は、非常エネルギー供給判断部である。前記非常エネルギー供給判断部１２０は、前記非常エネルギー供給源１１０が非常エネルギーを供給するか否かと、非常エネルギーの量を判断する。
【００５５】
ここで、前記非常エネルギー供給判断部１２０は、前記非常エネルギー供給源１１０が供給する非常エネルギーが、予め設定されたエネルギー量の以下である場合に非常エネルギーが供給されないと判断することが望ましい。
【００５６】
符号１３０は、エネルギー選択スイッチである。前記エネルギー選択スイッチ１３０は、エネルギー選択制御信号によりスイッチングされると共に前記メインエネルギーまたは前記非常エネルギー供給源１１０が供給する非常エネルギーを選択する。
【００５７】
符号１４０−１、１４０−２、…、１４０−Ｎは、複数のエネルギー使用機器である。前記複数のエネルギー使用機器(１４０−１、１４０−２、…、１４０−Ｎ)は、前記エネルギー選択スイッチ１３０が選択したエネルギーを使って動作する。例えば、前記複数のエネルギー使用機器(１４０−１、１４０−２、…、１４０−Ｎ)は、照明器具、冷蔵庫及び洗濯機等のような電気的な負荷として前記エネルギー選択スイッチ１３０が選択したエネルギーで動作する。
【００５８】
符号１５０は、スマートメーターである。前記スマートメーター１５０は、前記メインエネルギー供給判断部１００及び前記非常エネルギー供給判断部１２０の判断信号により前記エネルギー選択制御信号を発生して前記エネルギー選択スイッチ１３０のスイッチング動作を制御する。また、前記スマートメーター１５０は、前記エネルギー選択スイッチ１３０が選択したエネルギーを前記複数のエネルギー使用機器(１４０−１、１４０−２、…、１４０−Ｎ)に供給すると共に、前記複数のエネルギー使用機器(１４０−１、１４０−２、…、１４０−Ｎ)が使うエネルギーの量を検出する。また、前記スマートメーター１５０は、メインエネルギーが供給されず前記エネルギー選択スイッチ１３０が前記非常エネルギー供給源１１０に供給される非常エネルギーを選択するように制御した場合に、エネルギー供給制御信号(Ｃ１〜ＣＮ)を選択的に発生して、予め設定された選択された複数のエネルギー使用機器(１４０−１、１４０−２、…、１４０−Ｎ)だけに非常エネルギーが供給されるようにする。
【００５９】
前記スマートメーター１５０は、エネルギー供給制御部１５２、エネルギー使用量検出部１５４及びメモリー１５６を備える。
【００６０】
前記エネルギー供給制御部１５２は、前記メインエネルギー供給判断部１００及び前記非常エネルギー供給判断部１２０の判断信号により、前記エネルギー選択制御信号を発生して、前記エネルギー選択スイッチ１３０のスイッチング動作を制御する。
【００６１】
前記エネルギー使用量検出部１５４は、単位時間間隔で前記複数のエネルギー使用機器(１４０−１、１４０−２、…、１４０−Ｎ)が使うエネルギーの使用量を検出して、前記エネルギー供給制御部１５２に提供する。
【００６２】
前記メモリー１５６には、メインエネルギーが供給されず前記エネルギー選択スイッチ１３０が前記非常エネルギー供給源１１０の非常エネルギーを選択するようにする場合に、前記非常エネルギーを供給する複数のエネルギー使用機器(１４０−１、１４０−２、…、１４０−Ｎ)が予め設定されて保存される。
【００６３】
符号１６０−１、１６０−２、…、１６０−Ｎは、複数のエネルギー供給スイッチである。前記複数のエネルギー供給スイッチ(１６０−１、１６０−２、…、１６０−Ｎ)は、前記スマートメーター１５０のエネルギー供給制御部１５２が発生するエネルギー供給制御信号(Ｃ１〜ＣＮ)によりスイッチングされて、前記スマートメーター１５０から出力されるエネルギーが前記複数のエネルギー使用機器(１４０−１、１４０−２、…、１４０−Ｎ)各々に供給されるようにする。
【００６４】
このような構成を有する本発明のエネルギー管理システムの望ましい第１実施形態は、外部からメインエネルギーが供給される場合に、メインエネルギー供給判断部１００がメインエネルギーの供給を判断する判断信号を発生し、発生したメインエネルギー供給の判断信号はスマートメーター１５０のエネルギー供給制御部１５２で入力される。
【００６５】
そして、非常エネルギー供給判断部１２０は、非常エネルギー供給源１１０が非常エネルギーを供給するか否かを判断して判断信号を発生して、前記スマートメーター１５０のエネルギー供給制御部１５２に出力する。
【００６６】
前記エネルギー供給制御部１５２は、前記メインエネルギー供給判断部１００の判断信号でメインエネルギーが供給されると判断し、エネルギー選択制御信号を発生して、発生したエネルギー選択制御信号によりエネルギー選択スイッチ１３０がメインエネルギーを選択するようにする。また、前記エネルギー供給制御部１５２は、前記メインエネルギー供給判断部１００の判断信号でメインエネルギーが供給されると判断される場合に、エネルギー供給制御信号(Ｃ１〜ＣＮ)を発生して、複数のエネルギー供給スイッチ(１６０−１、１６０−２、…、１６０−Ｎ)を全て接続させる。
【００６７】
そして、前記エネルギー供給制御部１５２は、エネルギー供給制御信号(Ｃ１〜ＣＮ)を発生して、複数のエネルギー供給スイッチ(１６０−１、１６０−２、…、１６０−Ｎ)が全て接続されるようにする。
【００６８】
すると、前記エネルギー選択スイッチ１３０が選択したメインエネルギーは、スマートメーター１５０の前記エネルギー使用量検出部１５４を介して、前記複数のエネルギー供給スイッチ(１６０−１、１６０−２、…、１６０−Ｎ)を各々介して、前記複数のエネルギー使用機器(１４０−１、１４０−２、…、１４０−Ｎ)各々に供給される。
【００６９】
このような状態で停電等によってメインエネルギーが供給されない場合に、メインエネルギー供給判断部１００にメインエネルギーが供給されないと判断して、判断信号をスマートメーター１５０のエネルギー供給制御部１５２に出力する。
【００７０】
前記スマートメーター１５０のエネルギー供給制御部１５２は、前記メインエネルギー供給判断部１００がメインエネルギーが供給されないと判断する判断信号を発生する場合に、前記非常エネルギー供給判断部１２０が非常エネルギー供給源１１０から非常エネルギーが供給されるか否かを判断する判断信号を入力して、非常エネルギーが供給されるか否かを判断する。
【００７１】
前記判断結果メインエネルギーが供給されず、非常エネルギーが供給される場合に前記エネルギー供給制御部１５２は、メモリー１５６で保存されている非常エネルギーを供給すべきエネルギー使用機器(１４０−１、１４０−２、…、１４０−Ｎ)を判断する。例えば、前記メモリー１５６にはメインエネルギーが供給されない場合に、非常エネルギーを供給して続けて動作させる照明機構等のようなエネルギー使用機器(１４０−１、１４０−２、…、１４０−Ｎ)がユーザによって予め設定及び保存されているものとして、前記エネルギー供給制御部１５２はメモリー１５６に保存された非常エネルギーを供給すべきエネルギー使用機器(１４０−１、１４０−２、…、１４０−Ｎ)を判断する。
【００７２】
前記非常エネルギーを供給すべきエネルギー使用機器(１４０-１、１４０-２、…、１４０−Ｎ)が判断されると、前記エネルギー供給制御部１５２は、該当エネルギー使用機器(１４０−１、１４０−２、…、１４０−Ｎ)が連結している複数のエネルギー供給スイッチ(１６０−１、１６０−２、…、１６０−Ｎ)を接続させるエネルギー供給制御信号(Ｃ１〜ＣＮ)を選択的に発生して接続させる。
【００７３】
そして、前記エネルギー供給制御部１５２は、エネルギー選択制御信号を発生して、エネルギー選択スイッチ１３０が、前記非常エネルギー供給源１１０が供給する非常エネルギーを選択するように制御する。
【００７４】
そして、前記非常エネルギー供給源１１０が供給する非常エネルギーが、エネルギー選択スイッチ１３０により選択され、選択された非常エネルギーがスマートメーター１５０のエネルギー使用量検出部１５４及び選択的に接続された複数のエネルギー供給スイッチ(１６０−１、１６０−２、…、１６０−Ｎ)を介して、該当エネルギー使用機器(１４０−１、１４０−２、…、１４０−Ｎ)に供給される。
【００７５】
このような状態で非常エネルギー供給源１１０が供給する非常エネルギーが放電されて、予め設定されたエネルギー量の以下になった場合に、前記非常エネルギー供給判断部１２０は、非常エネルギーがないことを知らせる判断信号を発生して、前記非常エネルギー供給判断部１２０が発生した判断信号により、前記エネルギー供給制御部１５２は、前記複数のエネルギー供給スイッチ(１６０−１、１６０−２、…、１６０−Ｎ)を全て開放させる。
【００７６】
すると、前記非常エネルギー供給源１１０でそれ以上エネルギーが放電されなくなり、非常エネルギー供給源１１０が過放電による損傷を防止する。
【００７７】
図２は、本発明のエネルギー管理システムの望ましい第２実施形態の構成を示した図面である。図２を参照すれば、本発明のエネルギー管理システムの望ましい第２実施形態は、スマートメーター１５０内にエネルギー選択スイッチ１３０を一体で備える。
【００７８】
このような本発明の第２実施形態は、前記スマートメーター１５０内に前記エネルギー選択スイッチ１３０を一体で備えることによって前記スマートメーター１５０のエネルギー供給制御部１５２が発生するエネルギー選択制御信号を別のインターフェース手段(図示せず)を備えなくても簡単にエネルギー選択スイッチ１３０のスイッチング動作を制御することができる。
【００７９】
即ち、前記スマートメーター１５０のエネルギー供給制御部１５２がエネルギー選択制御信号を発生し、発生したエネルギー選択制御信号を前記エネルギー選択スイッチ１３０に印加して、スイッチング動作を制御する場合に、前記スマートメーター１５０のエネルギー供給制御部１５２が発生したエネルギー選択制御信号で前記エネルギー選択スイッチ１３０をスイッチングできるようにするためのインターフェース手段が必要となる。
【００８０】
しかし、本発明の第２実施形態では、前記スマートメーター１５０内に前記エネルギー選択スイッチ１３０を一体で備えることによって、別のインターフェース手段を備えなくても簡単に前記エネルギー選択スイッチ１３０のスイッチング動作を制御するように構成することができる。
【００８１】
図３は、本発明のエネルギー管理システムの望ましい第３実施形態の構成を示した図面である。図３を参照すれば、本発明の第３実施形態は、スマートメーター１５０内に前記エネルギー選択スイッチ１３０と、メインエネルギー供給判断部１００及び非常エネルギー供給判断部１２０を一体で備える。
【００８２】
このような本発明の第３実施形態は、前記スマートメーター１５０内に前記エネルギー選択スイッチ１３０を一体で備えると共に、メインエネルギー供給判断部１００及び非常エネルギー供給判断部１２０を一体で備えることによって、メインエネルギー供給判断部１００及び非常エネルギー供給判断部１２０が発生する判断信号をスマートメーター１５０のエネルギー供給制御部１５２が入力するための別のインターフェース手段(図示せず)を備える必要なく、簡単に構成することができる。
【００８３】
図４は、本発明のエネルギー管理方法の望ましい実施形態の動作を示した信号フローチャートである。図４を参照すれば、スマートメーター１５０のエネルギー供給制御部１５２は、メインエネルギー供給判断部１００の判断信号でメインエネルギーが正常に供給されるか否かを判断する(Ｓ４００)。
【００８４】
前記判断結果メインエネルギーが、正常に供給される場合に、前記エネルギー供給制御部１５２は、エネルギー選択制御信号を発生して、エネルギー選択スイッチ１３０がメインエネルギーを選択するように制御する(Ｓ４０２)。
【００８５】
そして、前記エネルギー供給制御部１５２は、エネルギー供給制御信号(Ｃ１〜ＣＮ)を発生して、複数のエネルギー供給スイッチ(１６０−１、１６０−２、…、１６０−Ｎ)を全て接続させる。
【００８６】
すると、前記エネルギー選択スイッチ１３０が選択したメインエネルギーが、スマートメーター１５０のエネルギー使用量検出部１５４を通り、前記複数のエネルギー供給スイッチ(１６０−１、１６０−２、…、１６０−Ｎ)を通って、複数のエネルギー使用機器(１４０−１、１４０−２、…、１４０−Ｎ)各々に供給されて、複数のエネルギー使用機器(１４０−１、１４０−２、…、１４０−Ｎ)を正常に動作させられるようにする(Ｓ４０４)。
【００８７】
また、前記判断結果、メインエネルギーが供給されない場合に、前記エネルギー供給制御部１５２は非常エネルギー供給判断部１２０の判断信号を入力して、非常エネルギー供給源１１０から非常エネルギーが供給されるか否かを判断する(Ｓ４０６)。
【００８８】
前記判断結果、非常エネルギーが供給されない場合に、前記エネルギー供給制御部１５２はエネルギーの供給制御を終了する。
【００８９】
また、前記判断結果、非常エネルギー供給源１１０から非常エネルギーが供給される場合に、前記エネルギー供給制御部１５２はメモリー１５６で非常エネルギーを供給する複数のエネルギー使用機器(１４０−１、１４０−２、…、１４０−Ｎ)を判断し(Ｓ４０８)、判断した非常エネルギーを供給する複数のエネルギー使用機器(１４０−１、１４０−２、…、１４０−Ｎ)の該当エネルギー供給スイッチ(１６０−１、１６０−２、…、１６０−Ｎ)を判断する(Ｓ４１０)。
【００９０】
前記非常エネルギーを供給する複数のエネルギー使用機器(１４０−１、１４０−２、…、１４０−Ｎ)の該当エネルギー供給スイッチ(１６０−１、１６０−２、…、１６０−Ｎ)が判断されると、前記エネルギー供給制御部１５２は、該当エネルギー供給スイッチ(１６０−１、１６０−２、…、１６０−Ｎ)のエネルギー供給制御信号(Ｃ１〜ＣＮ)を選択的に発生して(Ｓ４１２)、選択的に発生したエネルギー供給制御信号(Ｃ１〜ＣＮ)により該当エネルギー供給スイッチ(１６０−１、１６０−２、…、１６０−Ｎ)が選択的に接続される。
【００９１】
そして、前記エネルギー供給制御部１５２は、エネルギー選択制御信号を発生し、発生したエネルギー選択制御信号によりエネルギー選択スイッチ１３０が非常エネルギー供給源１１０が発生する非常エネルギーを選択して、前記複数の該当エネルギー使用機器(１４０−１、１４０−２、…、１４０−Ｎ)に非常エネルギーが供給されるようにする(Ｓ４１４)。
【００９２】
以上、代表的な実施形態を介して本発明について詳細に説明したが、本発明が属する技術分野で通常の知識を有する者は、前述した実施形態について、本発明の範疇から抜け出さない限度内で多様な変形が可能であることを理解するであろう。
【００９３】
従って、本発明の権利範囲は、説明された実施形態に限定されず、後述する特許請求範囲だけでなく、この特許請求範囲と均等物によって決められるべきである。
【符号の説明】
【００９４】
１００:メインエネルギー供給判断部
１１０:非常エネルギー供給源
１２０:非常エネルギー供給判断部
１３０:エネルギー選択スイッチ
１４０−１、１４０−２、…、１４０−Ｎ:複数のエネルギー使用機器
１５０:スマートメーター
１５２:エネルギー供給制御部
１５４:エネルギー使用量検出部
１５６:メモリー
１６０−１、１６０−２、…、１６０−Ｎ:複数のエネルギー供給スイッチ
【図１】
2012254009.tif 000003
【図２】
2012254009.tif 000004
【図３】
2012254009.tif 000005
【図４】
2012254009.tif 000006